(57)【要約】【課題】目的の異なる種類の薬剤を、お互いに影響し合うことなしに大気に放散でき、複数の電池を有すると共に、装置全体を小型にできる薬剤放散装置とする。【解決手段】複数の筒状部１ａを有する装置本体１と、その複数の筒状部１ａ内に設けた送風機２、薬剤保持体３とを備え、各送風機２を駆動することで各筒状部１ａから薬剤が大気にそれぞれ放散してお互いに影響し合うことがないようにし、前記筒状部１ａの外周面に電池収容部６を設け、この電池収容部６内に電池７を筒状部１ａの長手方向に向けて周方向に複数収容して複数の電池７を有すると共に、装置全体を小型にできるようにする。【選択図】図３
2010063421.tif 000002
【特許請求の範囲】
【請求項１】
複数の筒状部１ａを有した装置本体１と、
前記筒状部１ａ内にそれぞれ設けた送風機２、薬剤保持体３と、
前記筒状部１ａの外周面に設けた電池収容部６と、
この電池収容部６内に、筒状部１ａの長手方向に向けて周方向に順次収容した複数の電池７を備え、
この電池７を電源として前記各送風機２を駆動することで、各薬剤保持体３に空気が触れて薬剤が揮散し、その揮散した薬剤がそれぞれ独立して空気とともに大気に放散するように構成したことを特徴とする薬剤放散装置。
【請求項２】
複数の外面１０ａを有した中空で多面体形状の連結体１０と、
この連結体１０の複数の外面１０ａに、その連結体１０の内部１０ｂと連通してそれぞれ連結した複数の筒体１１とで、複数の筒状部１ａを有した装置本体１とし、
前記連結体１０に空気取入口１６を形成し、前記筒体１１内に設けた送風機２を駆動することで空気取入口１６から流入した空気が、各筒体１１内をそれぞれ流通して各筒体１１からそれぞれ大気に排出するようにした請求項１記載の薬剤放散装置。
【請求項３】
複数の外面１０ａを有した中空で多面体形状の連結体１０と、
この連結体１０の複数の外面１０ａに、その連結体１０の内部１０ｂと連通してそれぞれ連結した複数の筒体１１とで、複数の筒状部１ａを有した装置本体１とし、
前記連結体１０に、前記各筒体１１とそれぞれ連通した独立の複数の排出通路１７を形成し、前記筒体１１内に設けた送風機２を駆動することで各筒体１１内をそれぞれ流通した空気が前記各排出通路１７から大気にそれぞれ排出するようにした請求項１記載の薬剤放散装置。
【請求項４】
放射状に連結した複数の筒体１１と、この連結部に連結した上向きの筒体１１で装置本体１とし、
前記放射状に連結した複数の筒体１１内に、送風機２、薬剤保持体３をそれぞれ設け、
前記上向きの筒体１１の内部を、前記放射状に連結した複数の筒体１１の内部に連通して空気取入口１６とし、この空気取入口１６から流入した空気が各筒体１１からそれぞれ大気に排出され、
前記上向きの筒体１１の外周面にのみ電池収納部６を設けた請求項１記載の薬剤放散装置。
【請求項５】
放射状に連結した複数の筒体１１と、この連結部に連結した上向きの筒体１１で装置本体１とし、
前記放射状に連結した複数の筒体１１内に、送風機２、薬剤保持体３をそれぞれ設け、
前記上向きの筒体１１の内部に、前記放射状に連結した複数の筒体１１の内部にそれぞれ独立して連通した複数の排出通路１７を形成し、各筒体１１内を流通した空気が前記各排出通路１７から大気にそれぞれ排出するようにし、
前記上向きの筒体１１の外周面にのみ電池収納部６を設けた請求項１記載の薬剤放散装置。
【発明の詳細な説明】
【技術分野】
【０００１】
本発明は、快適な生活空間を得るために、芳香、消臭、除菌、殺虫、害虫忌避などの目的に供する薬剤を放散する装置に関し、さらに詳しくは、複数の目的を達成することができる薬剤放散装置に関するものである。
【背景技術】
【０００２】
従来から装置本体内に形成した吸込口と吐出口との気流通路にファンを具備し、その吸込口、又は吐出口に薬剤を保持した薬剤保持体を取付け、ファンを回転することで、薬剤を吐出口から空間に放散するようにした薬剤放散装置が種々提案されている。
この薬剤放散装置は、快適な生活空間を得るために、各目的に応じて芳香剤、消臭剤、除菌剤、殺虫剤、あるいは害虫忌避剤などの薬剤を空間に放散させ、香りを楽しんだり、臭いを消したり、あるいは害虫を防除するなどのいろいろな目的に使用される。
一方、薬剤放散装置の使用場面は、ダイニングキッチン室、寝室、子供室、浴室、トイレなどの居室空間と様々であり、その空間は大中小と広さが異なる。
また、ペット小屋周辺、園芸仕事、散歩などの行動周辺などの屋外空間、さらに一般家庭の他に、販売店、食堂、旅館、病院、乗り物などでも使用される。
【０００３】
前述した様々な場面において、１台の薬剤放散装置で複数の目的に使用できること、又は同時に複数の目的に使用できることを満足した薬剤放散装置が好ましい。
例えば、同時に複数の目的に使用することができる薬剤放散装置が特許文献１に開示されている。
この薬剤放散装置は、送風機を備えた装置本体の吸込口と吐出口とに薬剤取付部をそれぞれ設け、送風機を駆動することで各々の薬剤取付部に取付けた揮散性薬剤を保持した薬剤保持体に空気を触れ、薬剤を揮散し、その薬剤を空間に放散するようにしてある。
【０００４】
【特許文献１】特開２００３−３０４７９１号公報
【発明の開示】
【発明が解決しようとする課題】
【０００５】
前述した従来の薬剤放散装置にように、吸込口及び吐出口の各薬剤取付部に、目的の違う異なる種類の薬剤（薬剤保持体）を取付けて使用することは、吸込気流や吐出気流の空気の流通を妨げる問題がある。すなわち、吸込口に取付けた薬剤と吐出口に取付けた薬剤がお互いに影響し合い、その薬剤の空間への放出（速度、距離、放散量）を妨げる。このことから、目的とする効果が不充分であったり、使用できる薬剤が制限されるなどの問題が生じる。
【０００６】
前述の問題を解決するには、独立した送風機を有する薬剤放散器具を複数備えた薬剤放散装置とすることが考えられる。
しかし、この場合、それぞれの送風機の電源である電池を多く必要とする。その電池の取付けスペースを確保するために装置全体が大型化する。このことから複数の送風機を備えた薬剤放散装置とすることは難しい。
【０００７】
本発明の目的は、複数の薬剤保持体と複数の送風機を備え、目的の異なる種類の薬剤を、お互いに影響し合うことなしに大気に放散でき、前記送風機用の電池を複数備えていると共に、装置全体を小型にできる薬剤放散装置とすることである。
【課題を解決するための手段】
【０００８】
本発明は、複数の筒状部１ａを有した装置本体１と、
前記筒状部１ａ内にそれぞれ設けた送風機２、薬剤保持体３と、
前記筒状部１ａの外周面に設けた電池収容部６と、
この電池収容部６内に、筒状部１ａの長手方向に向けて周方向に順次収容した複数の電池７を備え、
この電池７を電源として前記各送風機２を駆動することで、各薬剤保持体３に空気が触れて薬剤が揮散し、その揮散した薬剤がそれぞれ独立して空気とともに大気に放散するように構成したことを特徴とする薬剤放散装置である。
【０００９】
本発明においては、複数の外面１０ａを有した中空で多面体形状の連結体１０と、
この連結体１０の複数の外面１０ａに、その連結体１０の内部１０ｂと連通してそれぞれ連結した複数の筒体１１とで、複数の筒状部１ａを有した装置本体１とし、
前記連結体１０に空気取入口１６を形成し、前記筒体１１内に設けた送風機２を駆動することで空気取入口１６から流入した空気が、各筒体１１内をそれぞれ流通して各筒体１１からそれぞれ大気に排出するように構成できる。
また、本発明においては、複数の外面１０ａを有した中空で多面体形状の連結体１０と、
この連結体１０の複数の外面１０ａに、その連結体１０の内部１０ｂと連通してそれぞれ連結した複数の筒体１１とで、複数の筒状部１ａを有した装置本体１とし、
前記連結体１０に、前記各筒体１１とそれぞれ連通した独立の複数の排出通路１７を形成し、前記筒体１１内に設けた送風機２を駆動することで各筒体１１内をそれぞれ流通した空気が前記各排出通路１７から大気にそれぞれ排出するように構成できる。
【００１０】
このようにすれば、連結体１０に筒体１１を連結することで装置本体１とすることができるし、筒体１１内に送風機２、薬剤保持体３を設けた状態で、その筒体１１を連結体１０に連結できるから、装置本体１を容易に組み立てできる。
【００１１】
本発明においては、放射状に連結した複数の筒体１１と、この連結部に連結した上向きの筒体１１で装置本体１とし、
前記放射状に連結した複数の筒体１１内に、送風機２、薬剤保持体３をそれぞれ設け、
前記上向きの筒体１１の内部を、前記放射状に連結した複数の筒体１１の内部に連通して空気取入口１６とし、この空気取入口１６から流入した空気が各筒体１１からそれぞれ大気に排出され、
前記上向きの筒体１１の外周面にのみ電池収納部６を設けた構成とすることができる。
また、本発明においては、放射状に連結した複数の筒体１１と、この連結部に連結した上向きの筒体１１で装置本体１とし、
前記放射状に連結した複数の筒体１１内に、送風機２、薬剤保持体３をそれぞれ設け、
前記上向きの筒体１１の内部に、前記放射状に連結した複数の筒体１１の内部にそれぞれ独立して連通した複数の排出通路１７を形成し、各筒体１１内を流通した空気が前記各排出通路１７から大気にそれぞれ排出するようにし、
前記上向きの筒体１１の外周面にのみ電池収納部６を設けた構成とすることができる。
【００１２】
このようにすれば、装置本体１をコンパクトにして装置全体をより小型とすることができる。
【発明の効果】
【００１３】
本発明によれば、複数の筒状部１ａ内に設けた送風機２を駆動することで各薬剤保持体３から薬剤が揮散し、その薬剤が独立して空気とともに大気に放散するので、前述の薬剤保持体３を目的の異なる種類の薬剤を揮散するものとすることにより、目的の異なる複数の薬剤を、お互いに影響し合うことなしに大気に放散できる。
また、前記筒状部１ａの外周面に電池収納部６を設けたことによって、前記送風機２用の電池７を複数備えることができると共に、装置全体を小型にできる。
【発明を実施するための最良の形態】
【００１４】
本発明の第１の実施の形態を図１〜図３に基づいて説明する。
装置本体１は複数の筒状部１ａを備えている。
前記各筒状部１ａ内には、送風機２、薬剤保持体３がそれぞれ設けてある。
前記送風機２は、モータ４と、このモータ４で回転されるファン５を備えている。
前記薬剤保持体３は、通気性を有する容器３ａ内に、揮散性の薬剤を含浸した粒状の薬剤含浸体３ｂを多数充填してある。
前記モータ４でファン５を回転して送風機２を駆動すると、筒状部１ａ内に空気が流通して薬剤保持体３に空気が触れて薬剤が揮散し、その揮散した薬剤は空気とともにそれぞれ独立して筒状部１ａから大気にそれぞれ放散される。
【００１５】
このようであるから、各筒状部１ａに取付けた薬剤保持体３が保持している薬剤を、目的の異なる種類の薬剤とすることで、目的の異なる種類の薬剤を、各筒状部１ａからそれぞれ独立して大気に放散するので、それらの薬剤を、お互いに影響し合うことなしに大気に放散することができる。
【００１６】
前記筒状部１ａの外周面１ｂには電池収容部６が設けてある。
この電池収容部６に電池７が、筒状部１ａの長手方向に向けて周方向に順次複数収容してある。この電池７を電源として前記モータ４が回転する。
【００１７】
このようであるから、装置本体１の筒状部１ａの長さはモータ４、ファン５（つまり、送風機２）、薬剤保持体３を設けることができる長さであれば良く、電池７の数量に関係なく短くできる。
また、装置本体１の筒状部１ａの内径を電池７の大きさに関係なく決定できるので、ファン５、薬剤保持体３の径方向の大きさを電池７の大きさに関係なく任意の大きさにできる。
また、装置本体１の筒状部１ａの外周面１ｂに沿って電池７を、その筒状部１ａの長手方向に向けて周方向に順次収容するようにしたので、多数本の電池７を収容でき、しかも装置全体が径方向に大きくなることがなくコンパクトにできる。
【００１８】
次に、各部の詳細を説明する。
前記装置本体１は、中空の連結体１０に複数の筒体１１を連結してある。例えば、筒体１１の長手方向一端部が連結体１０に連結してある。
前記各筒体１１内に、前述の送風機２と薬剤保持体３がそれぞれ設けてある。例えば、前記送風機２のモータ４をプレート１２に取付け、そのプレート１２を筒体１１の内周面における長手方向一端寄りに形成した突起１３に固着して送風機２を筒体１１内に取付けてある。このプレート１２は流通口１４を有する。
前記薬剤保持体３は、筒体１１の内周面における長手方向他端寄りに嵌合して取付けてある。
つまり、筒体１１が前述の筒状部１ａである。
【００１９】
これによって、ファン５を回転すると筒体１１の一端開口部１１ａから空気を吸い込み、その空気は、前記流通口１４を通して薬剤保持体３の容器３ａ内を流通し、薬剤含浸体３ｂに触れて薬剤を揮散する。
この揮散した薬剤が筒体１１の他端開口部１１ｂから大気に放散する。
要するに、筒体１１、送風機２、薬剤保持体３で薬剤放散器具としてある。
【００２０】
前記筒体１１の外周面１１ｄに筒２０を嵌合し、この筒２０に収納用空間２１を有したブロック２２を、周方向に間隔を置いて複数設け、その各ブロック２２の開口部に蓋２３を着脱自在に取付けて電池収容部６としてある。
このようであるから、電池収容部６を筒体１１とは別に作製し、その筒体２０を筒体１１に嵌合して電池収容部６とすることができる。
【００２１】
前記連結体１０は複数の外面１０ａを有した多面体の中空形状で、その外面１０ａにおける筒体１１が連結する外面１０ａには、前記筒体１１の一端開口部１１ａと連通する孔１５が形成され、各筒体１１は連結体１０の内部１０ｂにそれぞれ連通している。
前記外面１０ａにおける筒体１１が連結されない外面１０ａには空気取入口１６が形成されている。
【００２２】
このようであるから、空気取入口１６から内部１０ｂに流通した空気は、孔１５から筒体１１の一端開口部１１ａに流入するので、各ファン５を回転することで各筒体１１の他端開口部１１ｂから薬剤が空気とともに大気に放散する。
したがって、同一形状の薬剤放散器具を複数形成し、その筒体１１を連結体１０の外面１０ａに取付けることで、本発明の薬剤放散装置とすることができる。
【００２３】
図１と図２に示すように、連結体１０の相対向した左右の２つの外面１０ａに筒体１１を左右に向けて連結し、２つの筒体１１を一直線状とする。
前記連結体１０の上の外面１０ａに筒体１１を上向きに連結して、装置本体１を逆Ｔ字形状としてある。
前記電池収容部６の２つのブロック２２が図２に示すように、設置面ａに当接するようにして、設置面ａに安定して設置できるようにしてある。
【００２４】
前述の実施の形態では、連結体１０に２つの筒体１１を一直線状に連結したが、３つ以上の筒体１１を放射状に連結体１０に連結しても良い。
この場合には、連結体１０の上方の外面１０ａには筒体１１を連結せずに、その上方の外面１０ａに空気取入口１６を形成することが好ましい。
【００２５】
前述の実施の形態では、各筒体１１内に送風機２、薬剤保持体３を設けたが、送風機２、薬剤保持体３を設けない筒体１１（筒状部１ａ）を備えても良い。
例えば、前述の連結体１０の上方の外面１０ａに連結した筒体１１内に送風機２、薬剤保持体３を設けずに、その筒体１１を空気取入用として利用する。
【００２６】
前述の実施の形態では、各筒体１１に電池収容部６をそれぞれ設けたが、電池収容部６を設けない筒体１１（筒状部１ａ）を備えても良い。
例えば、前述の連結体１０の左右の外面１０ａに連結した筒体１１には電池収容部６を設けずに、上の外面１０ａに連結した筒体１１の外周面に電池収容部６を設ける。
【００２７】
前述の実施の形態では、筒体１１を連結体１０に連結して装置本体１としたが、連結体１０を用いずに複数の筒体１１を一体としても良い。
また、連結体１０の複数の外面１０ａに３本以上の筒体１１を放射状に連結しても良いし、３本以上の筒体１０を放射状に一体としても良い。
【００２８】
本発明の第２の実施の形態を図４〜図６に基づいて説明する。
前述した薬剤放散器具を構成する筒体１１を十文字に一体に連結すると共に、その連結部に他の筒体１１を上向きに設け、放射状の複数の筒体１１と上向きの筒体１１を有し、かつ各筒体１１が連通した装置本体１とする。
前記放射状の複数の筒体１１の内部に送風機２、薬剤保持体３をそれぞれ設けて前述した薬剤放散器とする。
前記上向きの筒体１１の内部は、前記放射状の筒体１１の連結部の内部１ｃに連通し、この上向きの筒体１１を空気取入口１６として利用する。
【００２９】
前記上向きの筒体１１（筒状部１ａ）の外周面に、穴あき円板状の底板２４を有した筒２５を嵌合し、その底板２４を筒体１１の上面に当接して環状の空間部２６を形成する。
この空間部２６内に電池７を周方向に順次複数収容し、その空間部２６の上部開口を蓋２７で閉塞して電池収容部６とする。
【００３０】
このようにすれば、放射状筒体１１には電池収容部６が存在せずに、上向きの筒体１１に電池収容部６を設けたので、装置全体をより小型とすることができる。
【００３１】
前述の図４〜図６に示す実施の形態において、電池収容部６は、そのままとし、各筒体１１を連結体１０で連結するようにしても良い。
また、筒体１１は、そのままとし、各筒体１１の外周面に電池収容部６をそれぞれ設けても良い。
【００３２】
前述の各実施の形態では、電池収容部６を筒体１１と別体としたが、その電池収容部６を筒体１１と一体としても良い。
また、前述の各実施の形態では２つの筒体１１、１つの筒体を一直線状としたが、鉤形状、Ｌ字形状、円弧形状などとすることもできる。
【００３３】
前述の各実施の形態では、ファン５から吐出した空気が薬剤保持体３に触れるようにしたが、ファン５が吸い込む空気が薬剤保持体３に触れるようにしても良い。
例えば、図７に示すように連結体１０の内部１０ｂに、各筒体１１の内部に連通した独立した複数の排出通路１７を形成する。
これによって、各筒体１１内を流通した空気は各排出通路１７から、それぞれ独立して大気に排出されるので、各薬剤保持体３から揮散した薬剤は、各排出通路１７から独立して空気とともに大気に放散される。
【００３４】
また、図８に示すように、上向きの筒体１１と、連結部の内部１ｃに亘って独立した複数の排気通路１７を形成する。
これによって、各筒体１１内を流通した空気は各排気通路１７から、それぞれ独立して大気に排出されるので、各薬剤保持体３から揮散した薬剤は、各排気通路１７から独立して空気とともに大気に放散される。
【図面の簡単な説明】
【００３５】
【図１】本発明の第１の実施の形態を示す薬剤放散装置の正面図である。
【図２】本発明の第１の実施の形態を示す薬剤放散装置の側面図である。
【図３】図２のＡ−Ａ断面図である。
【図４】本発明の第２の実施の形態を示す薬剤放散装置の正面図である。
【図５】本発明の第２の実施の形態を示す薬剤放散装置の断面図である。
【図６】図４のＢ−Ｂ断面図である。
【図７】本発明の第３の実施の形態を示す薬剤放散装置の断面図である。
【図８】本発明の第４の実施の形態を示す薬剤放散装置の断面図である。
【符号の説明】
【００３６】
１…装置本体、１ａ…筒状部、２…送風機、３…薬剤保持体、４…モータ、５…ファン、６…電池収容部、７…電池、１０…連結体、１０ａ…外面、１１…筒体、１２…プレート、１４…流通口、１６…空気取入口、１７…排出通路。
【図１】
2010063421.tif 000003
【図２】
2010063421.tif 000004
【図３】
2010063421.tif 000005
【図４】
2010063421.tif 000006
【図５】
2010063421.tif 000007
【図６】
2010063421.tif 000008
【図７】
2010063421.tif 000009
【図８】
2010063421.tif 000010